【手続補正書】
【提出日】平成29年12月13日(2017.12.13)
【手続補正１】
【補正対象書類名】特許請求の範囲
【補正対象項目名】全文
【補正方法】変更
【補正の内容】
【特許請求の範囲】
【請求項１】
液剤を貯留する容器本体を備える液剤吐出容器であって、
前記容器本体に装着される装着部と、
前記装着部に対して一方向及び前記一方向に対する反対方向に移動可能に前記装着部に保持され、前記装着部に対して相対的に前記一方向に押し込まれることにより前記液剤が通過するヘッド部と、
前記ヘッド部を通過した前記液剤を吐出する吐出口を有するノズル部と、
前記一方向の成分を持つ方向及びその反対方向に前記装着部に対して相対的に揺動可能に軸支部において軸支されているとともに、押し込み力を受ける力点部を有する揺動部と、
ユーザーの操作により前記装着部に対して相対的に押し込まれる操作部であって、押し込まれる際に前記力点部を押し込む押込部を有する操作部と、
前記力点部と前記軸支部との間に位置する作用部であって、前記力点部が押し込まれることにより前記揺動部が前記一方向の成分を持つ方向に揺動する際に、前記揺動部から前記ヘッド部に対して押し込み力を伝達する作用部と、
前記操作部が押し込まれる際に、前記操作部の姿勢を維持させつつ前記ヘッド部に対する前記操作部の相対移動をガイドするガイド機構と、
を備え、
前記ノズル部が前記操作部と一体に設けられており、
当該液剤吐出容器を前記一方向に視たときに、前記ヘッド部の少なくとも一部分が前記操作部によって覆われる液剤吐出容器。
【請求項２】
前記操作部は、押し込み操作を受ける操作受部と、前記操作受部から前記一方向に突出している筒部と、を有し、
前記ヘッド部は、外筒部と内筒部とを有し、
前記ガイド機構は、前記ヘッド部の前記外筒部及び前記内筒部と、前記操作部の前記筒部と、により構成されており、
前記筒部の外周面及び内周面は、前記外筒部の内周面と前記内筒部の外周面とによりガイドされる請求項１に記載の液剤吐出容器。
【請求項３】
液剤を貯留する容器本体を備える液剤吐出容器であって、
前記容器本体に装着される装着部と、
前記装着部に対して一方向及び前記一方向に対する反対方向に移動可能に前記装着部に保持され、前記装着部に対して相対的に前記一方向に押し込まれることにより前記液剤が通過するヘッド部と、
前記ヘッド部を通過した前記液剤を吐出する吐出口と、
前記一方向の成分を持つ方向及びその反対方向に前記装着部に対して相対的に揺動可能に軸支部において軸支されているとともに、押し込み力を受ける力点部を有する揺動部と、
ユーザーの操作により前記装着部に対して相対的に押し込まれる操作部であって、押し込まれる際に前記力点部を押し込む押込部を有する操作部と、
前記力点部と前記軸支部との間に位置する作用部であって、前記力点部が押し込まれることにより前記揺動部が前記一方向の成分を持つ方向に揺動する際に、前記揺動部から前記ヘッド部に対して押し込み力を伝達する作用部と、
前記操作部が押し込まれる際に、前記操作部の姿勢を維持させつつ前記ヘッド部に対する前記操作部の相対移動をガイドするガイド機構と、
を備え、
当該液剤吐出容器を前記一方向に視たときに、前記ヘッド部の少なくとも一部分が前記操作部の外形線の内側に位置する液剤吐出容器。
【請求項４】
液剤を貯留する容器本体と、
前記容器本体に装着される装着部と、
前記装着部に対して上下動可能に前記装着部に保持され、前記装着部に対して相対的に押し下げられることにより前記液剤が通過するヘッド部と、
前記ヘッド部を通過した前記液剤を吐出する吐出口を有するノズル部と、
前記装着部に対して相対的に下向き成分を持つ方向及びその反対方向に揺動可能に軸支部において軸支されているとともに、押下力を受ける力点部を有する揺動部と、
前記装着部に対して相対的に押し下げられる操作部であって、押し下げられる際に前記力点部を押し下げる押下部を有する操作部と、
前記力点部と前記軸支部との間に位置する作用部であって、前記力点部が押し下げられることにより前記揺動部が前記下向き成分を持つ方向に揺動する際に、前記揺動部から前記ヘッド部に対して押下力を伝達する作用部と、
前記操作部が押し下げられる際に、前記操作部の姿勢を維持させつつ前記ヘッド部に対する前記操作部の相対移動をガイドするガイド機構と、
を備え、
前記ノズル部が前記操作部と一体に設けられており、
前記ガイド機構は、前記ヘッド部が有するガイド部と、前記ガイド部にガイドされる被ガイド部であって前記操作部が有する被ガイド部と、を含む液剤吐出容器。
【請求項５】
前記ガイド機構は、前記操作部を前記ヘッド部に対して相対的に前記一方向及び前記一方向に対する反対方向にガイドするものであり、
前記操作部の押し込み方向と、前記ガイド機構による前記操作部のガイド方向と、が互いに同方向であり、
前記ガイド機構は、前記ヘッド部が有するガイド部と、前記ガイド部にガイドされる被ガイド部であって前記操作部が有する被ガイド部と、を含み、
前記操作部は、押し込み操作を受ける操作受部と、前記操作受部から前記一方向に突出している筒部と、を有し、
前記操作部の前記筒部が前記被ガイド部であり、
前記ガイド部は前記ヘッド部の内部に形成されている請求項４に記載の液剤吐出容器。
【請求項６】
前記ヘッド部は、外筒部と内筒部とを有し、
前記ガイド部は、前記ヘッド部の前記外筒部及び前記内筒部により構成されており、
前記筒部の外周面及び内周面は、前記外筒部の内周面と前記内筒部の外周面とによりガイドされる請求項５に記載の液剤吐出容器。
【請求項７】
液剤を貯留する容器本体に装着される装着部を備える液剤吐出器付きキャップであって、
前記装着部に対して一方向及び前記一方向に対する反対方向に移動可能に前記装着部に保持され、前記装着部に対して相対的に前記一方向に押し込まれることにより前記液剤が通過するヘッド部と、
前記ヘッド部を通過した前記液剤を吐出する吐出口を有するノズル部と、
前記一方向の成分を持つ方向及びその反対方向に前記装着部に対して相対的に揺動可能に軸支部において軸支されているとともに、押し込み力を受ける力点部を有する揺動部と、
ユーザーの操作により前記装着部に対して相対的に押し込まれる操作部であって、押し込まれる際に前記力点部を押し込む押込部を有する操作部と、
前記力点部と前記軸支部との間に位置する作用部であって、前記力点部が押し込まれることにより前記揺動部が前記一方向の成分を持つ方向に揺動する際に、前記揺動部から前記ヘッド部に対して押し込み力を伝達する作用部と、
前記操作部が押し込まれる際に、前記操作部の姿勢を維持させつつ前記ヘッド部に対する前記操作部の相対移動をガイドするガイド機構と、
を備え、
前記ノズル部が前記操作部と一体に設けられており、
当該液剤吐出器付きキャップを前記一方向に視たときに、前記ヘッド部の少なくとも一部分が前記操作部によって覆われる液剤吐出器付きキャップ。
【請求項８】
液剤を貯留する容器本体に装着される装着部を備える液剤吐出器付きキャップであって、
前記装着部に対して一方向及び前記一方向に対する反対方向に移動可能に前記装着部に保持され、前記装着部に対して相対的に前記一方向に押し込まれることにより前記液剤が通過するヘッド部と、
前記ヘッド部を通過した前記液剤を吐出する吐出口と、
前記一方向の成分を持つ方向及びその反対方向に前記装着部に対して相対的に揺動可能に軸支部において軸支されているとともに、押し込み力を受ける力点部を有する揺動部と、
ユーザーの操作により前記装着部に対して相対的に押し込まれる操作部であって、押し込まれる際に前記力点部を押し込む押込部を有する操作部と、
前記力点部と前記軸支部との間に位置する作用部であって、前記力点部が押し込まれることにより前記揺動部が前記一方向の成分を持つ方向に揺動する際に、前記揺動部から前記ヘッド部に対して押し込み力を伝達する作用部と、
前記操作部が押し込まれる際に、前記操作部の姿勢を維持させつつ前記ヘッド部に対する前記操作部の相対移動をガイドするガイド機構と、
を備え、
当該液剤吐出器付きキャップを前記一方向に視たときに、前記ヘッド部の少なくとも一部分が前記操作部の外形線の内側に位置する液剤吐出器付きキャップ。
【請求項９】
液剤を貯留する容器本体に装着される装着部を備える液剤吐出器付きキャップであって、
前記装着部に対して上下動可能に前記装着部に保持され、前記装着部に対して相対的に押し下げられることにより前記液剤が通過するヘッド部と、
前記ヘッド部を通過した前記液剤を吐出する吐出口を有するノズル部と、
前記装着部に対して相対的に下向き成分を持つ方向及びその反対方向に揺動可能に軸支部において軸支されているとともに、押下力を受ける力点部を有する揺動部と、
前記装着部に対して相対的に押し下げられる操作部であって、押し下げられる際に前記力点部を押し下げる押下部を有する操作部と、
前記力点部と前記軸支部との間に位置する作用部であって、前記力点部が押し下げられることにより前記揺動部が前記下向き成分を持つ方向に揺動する際に、前記揺動部から前記ヘッド部に対して押下力を伝達する作用部と、
前記操作部が押し下げられる際に、前記操作部の姿勢を維持させつつ前記ヘッド部に対する前記操作部の相対移動をガイドするガイド機構と、
を備え、
前記ノズル部が前記操作部と一体に設けられており、
前記ガイド機構は、前記ヘッド部が有するガイド部と、前記ガイド部にガイドされる被ガイド部であって前記操作部が有する被ガイド部と、を含む液剤吐出器付きキャップ。
【請求項１０】
液剤を貯留する容器本体に装着される装着部を備える液剤吐出器付きキャップであって、
前記装着部に対して上下動可能に前記装着部に保持され、前記装着部に対して相対的に押し下げられることにより前記液剤が通過するヘッド部と、
前記ヘッド部を通過した前記液剤を吐出する吐出口と、
前記装着部に対して相対的に下向き成分を持つ方向及びその反対方向に揺動可能に軸支部において軸支されているとともに、押下力を受ける力点部を有する揺動部と、
前記装着部に対して相対的に押し下げられる操作部であって、押し下げられる際に前記力点部を押し下げる押下部を有する操作部と、
前記力点部と前記軸支部との間に位置する作用部であって、前記力点部が押し下げられることにより前記揺動部が前記下向き成分を持つ方向に揺動する際に、前記揺動部から前記ヘッド部に対して押下力を伝達する作用部と、
前記操作部が押し下げられる際に、前記操作部の姿勢を維持させつつ前記ヘッド部に対する前記操作部の相対移動をガイドするガイド機構と、
を備え、
前記ガイド機構は、前記ヘッド部が有するガイド部と、前記ガイド部にガイドされる被ガイド部であって前記操作部が有する被ガイド部と、を含む液剤吐出器付きキャップ。
【請求項１１】
請求項１から６のいずれか一項に記載の液剤吐出容器と、
前記容器本体に充填された前記液剤と、
を備える液剤吐出容器詰め品。
【手続補正２】
【補正対象書類名】明細書
【補正対象項目名】０００１
【補正方法】変更
【補正の内容】
【０００１】
本発明は、液剤吐出容器、液剤吐出器付きキャップ及び液剤吐出容器詰め品に関する。
【手続補正３】
【補正対象書類名】明細書
【補正対象項目名】０００５
【補正方法】変更
【補正の内容】
【０００５】
本発明は、上記の課題に鑑みなされたものであり、テコの原理を利用してヘッド部を押し込む（典型的には押し下げる）ことができ、且つ、ヘッド部を直に押し下げるタイプの液剤吐出容器に近い操作感を実現することが可能な構造の液剤吐出容器、液剤吐出器付きキャップ及び液剤吐出容器詰め品に関する。